(57)【要約】      （修正有）【課題】自爆テロなどで犯人の所持品から爆発が発生したとしてもそれが外方空間に拡がって危害を与えるおそれがなくなるようにした安全袋用品を提供する。【解決手段】安全袋用品１２は、炭素繊維やアラミド繊維である強化繊維による強化繊維シートを用いて有底で前後左右各面を有し、上部を出し入れ口１３とした耐爆可能に作製された複層式の袋体１４を有し、袋体の内層は波型とされるとともにその上部の出し入れ口１３を閉止する閉止手段を有し、この閉止手段は数回折り重ねられる出し入れ口付近部を凹凸圧着して耐爆可能にロックするクリップ１８とされている。【選択図】図２
0003217810.tif 000002
【実用新案登録請求の範囲】
【請求項１】
炭素繊維やアラミド繊維などの強化繊維による強化繊維シートで耐爆可能に作製された袋体を有しその一端の開口は閉止手段を介して耐爆可能に閉止され得るようになっている安全袋用品。
【考案の詳細な説明】
【技術分野】
【０００１】  本考案は、安全袋用品に関する。
【背景技術】
【０００２】  近年、海外において自爆テロなどが多発しているが、我が国でも数年後にオリンピックが開催されることもあってその具体的対策が必要になってきている。
【先行技術文献】
【特許文献】
【０００３】
【特許文献１】
【考案の概要】
【考案が解決しようとする課題】
【０００４】  従来、こうしたテロの具体的対策はなく危険な状況に晒されている。【０００５】  本考案は、こうした問題を解決しようとするものであり、自爆テロなどで犯人の所持品から爆発が発生したとしてもそれが外方空間に拡がって危害を与えるおそれがなくなるようにした安全袋用品を提供することを目的とする。
【課題を解決するための手段】
【０００６】  本考案は上記目的を達成するため、請求項１に記載の考案は、炭素繊維やアラミド繊維などの強化繊維による強化繊維シートで耐爆可能に作製された袋体を有しその一端の開口は閉止手段を介して耐爆可能に閉止され得るようになっている。
【考案の効果】
【０００７】  上述したように請求項１に記載の考案は、炭素繊維やアラミド繊維などの強化繊維による強化繊維シートで耐爆可能に作製された袋体を有しその一端の開口は閉止手段を介して耐爆可能に閉止され得るようになっているので、自爆テロなどで犯人の所持品から爆発が発生したとしてもそれが外方空間に拡がらず危害を与えるおそれがなくなるようにした安全袋用品を提供することができる。
【図面の簡単な説明】
【０００８】
【図１】  本考案の一実施形態を示す安全袋用品の透視型斜視図。
【図２】  他の実施形態を示す透視型斜視図。
【図３】  他の実施形態を示す説明図。
【図４】  他の実施形態を示す外観図。
【図５】  耐爆防災バッグを安全袋用品とした実施形態を示す使用状態説明図。
【図６】  図５の側面図。
【考案を実施するための形態】
【０００９】  以下、本考案である安全袋用品の一実施形態を図１に基づいて説明する。
これらの図において、１は利用者のカバンである所持品、２は安全袋用品で、安全袋用品２は、有底で前後左右各面を有するとともに上部に出し入れ口３を有する袋体４を本体としてもち、この袋体４自体は、その全体が炭素繊維やアラミド繊維などの強化繊維による強化繊維シートで袋状に作製されたもので耐爆性能を有することは勿論、その出し入れ口３も表裏の強化繊維シートの間にプラスチック等の芯板を有する厚み（２ないし５ｍｍ）のある一対の閉止板５，５同士で形成され、開くと所持品１を出し入れ可能になっている一方、通し孔６…を通じて通された閉じ紐７を側方から引っ張って強く結ぶことにより一対の閉止板５，５が互いに圧着して耐爆可能な出し入れ口３が得られるようになっている。８は持ち運び用の取っ手、９は背負い用の掛けベルトである。
【００１０】  図２に示すものは他の実施形態であり、この実施形態では、１１は利用者のキャリーバッグ（キャリーケースとかスーツケースと呼ばれることもある）のような所持品、１２は安全袋用品で、安全袋用品１２は、有底で前後左右各面を有するとともに上部に出し入れ口１３を有する袋体１４を本体としてもち、この袋体１４自体は、その全体が炭素繊維やアラミド繊維などの強化繊維による強化繊維シートで袋状に作製されたもので耐爆性能を有するものである。
【００１１】  袋体１４の底部には重い所持品１１を移動することを想定して底受板１６と外部のキャスタ１７とを備える一方、出し入れ口１３には樹脂製袋止めクリップ１８が装着されて強く閉止されるようになっている。クリップ１８は、同図右の最上欄に示すように凹凸１９が出し入れ口１３を喰い込み圧着して完全閉止するようになっている。クリップ１８は、前後２つの長いバーａ、ｂを図２の右端において一体かつフレキシブルに連結するとともに他端では弾性変形する突片２０を備えてそれに開けた角孔にバーａ側に設けた突起２１が突片２０の弾性変形を介して掛脱するようになっている。
【００１２】  図２の右図最上欄のさらに右欄に示すように、出し入れ口１３を構成する内面には一対の面ファスナー２３，２４を備えて閉止力を高めるようにしてもよい。また、図２の右図最上欄のすぐ下に示すように、出し入れ口１３は数回折り重ねたうえでクリップ１８で凹凸圧着してより完全な閉止状態を得るようにしてもよい。袋体１４自体は、単層式のそれ自体を波型にしたり、図２の左上欄に示すように、複層式の内層を波型にしたりしておくとその瞬時の伸び作用により爆発力が減衰されるようになる。また、同図の下欄のように多数の凸部あるいは凹凸を備えたものにしてもよい。
尚、同図右下欄のように、安全袋用品１２の袋体１４には「安全袋」や「セフティ袋」とした用品表示を直接あるいはラベルを介して表示するようにしてもよい。また、安全袋用品１２には図１のような取っ手を付してもよいし、図２のようにクリップ１８を介して持ち手２２を備えてもよい。
【００１３】  図３は他の実施形態を示す。袋止めクリップ１８の一方のバーａを袋体１４の裏面に予め固着したものとすれば閉止作業が簡略化する。その場合、バーａは、袋体１４の出し入れ口１３よりかなり下側に固着しておいて同図右欄のように折り畳んで閉止して相手バーｂを圧着するようにしてもよい。バーｂは、バーａとは別体ものにしてあるが、図の向う側の端部において一体連結されているタイプにしてもよい。図３は出し入れ口１３がこのように開いた形になっていることを表現している。尚、図３の表・裏面をオス・メスの面ファスナーとしておけば閉止効果が高く得られるし、さらに、図２の右上欄のように出し入れ口１３の内面にも面ファスナー２３，２４を備えればさらなる閉止効果が得られることになる。
【００１４】  従って、所持品１，１１を図１ないし図２に示すような安全袋用品２，１２で包み込んだものを飛行機や貨物便などで輸送して仮に所持品１，１１が爆発したとしても全体が耐爆仕様になっているので安全である。また、安全袋用品１２のように「安全袋」とか「セフティ袋」のような大きい表示がされていると不特定多数の人が参加する集会、ライブとか電車や飛行機などの交通機関に乗る人にとって安心感を与えるものである。集会などではそのフロントや通路などにそうした安全袋用品２，１２を多数用意しておいて配布した人のみにその会合への入所を許可するように義務化すれば危険人物が回避し安全な人のみの会合になって安全性が確保されることになる。
【００１５】  図４は付加的な提案例を示し、同例は集会などに参加しようとする人２７が会場で図示のような爆発テロに遭遇した場合の対策を示している。即ち、人２７はアラミド繊維シートなどの強化繊維シートによる耐爆服２８を着て安全に参加しようとするものである。
【００１６】  図５および図６は他の付加的な提案例を示し、双つ割れ頭巾型をした特殊なバッグ３０の内層３１を図５の右欄のような波型にして耐爆性能を確保するとともに頭部に被って耐爆性能や地震防御性能を発揮できるようにしたものである。３２は出し入れ口、３３は持ち手である。
【符号の説明】
【００１７】  １，１１…所持品  ２，１２…安全袋用品  ３，１３…出し入れ口  ４，１４…袋体。
【図１】
0003217810.tif 000003
【図２】
0003217810.tif 000004
【図３】
0003217810.tif 000005
【図４】
0003217810.tif 000006
【図５】
0003217810.tif 000007
【図６】
0003217810.tif 000008
【手続補正書】
【提出日】平成30年6月18日(2018.6.18)
【手続補正１】
【補正対象書類名】実用新案登録請求の範囲
【補正対象項目名】全文
【補正方法】変更
【補正の内容】
【実用新案登録請求の範囲】
【請求項１】
炭素繊維やアラミド繊維である強化繊維による強化繊維シートを用いて有底で前後左右各面を有し上部を出し入れ口とした耐爆可能に作製された複層式の袋体を有し該袋体の内層は波型とされるとともにその上部の出し入れ口を閉止する閉止手段を有しこの閉止手段は数回折り重ねられる出し入れ口付近部を凹凸圧着して耐爆可能にロックするクリップとされている安全袋用品。
【手続補正２】
【補正対象書類名】明細書
【補正対象項目名】０００６
【補正方法】変更
【補正の内容】
【０００６】  本考案は上記目的を達成するため、請求項１に記載の考案は、炭素繊維やアラミド繊維である強化繊維による強化繊維シートを用いて有底で前後左右各面を有し上部を出し入れ口とした耐爆可能に作製された複層式の袋体を有し該袋体の内層は波型とされるとともにその上部の出し入れ口を閉止する閉止手段を有しこの閉止手段は数回折り重ねられる出し入れ口付近部を凹凸圧着して耐爆可能にロックするクリップとされている。
【手続補正３】
【補正対象書類名】明細書
【補正対象項目名】０００７
【補正方法】変更
【補正の内容】
【０００７】  上述したように請求項１に記載の考案は、炭素繊維やアラミド繊維である強化繊維による強化繊維シートを用いて有底で前後左右各面を有し上部を出し入れ口とした耐爆可能に作製された複層式の袋体を有し該袋体の内層は波型とされるとともにその上部の出し入れ口を閉止する閉止手段を有しこの閉止手段は数回折り重ねられる出し入れ口付近部を凹凸圧着して耐爆可能にロックするクリップとされているので、自爆テロなどで犯人の所持品から爆発が発生したとしてもそれが外方空間に拡がらず危害を与えるおそれがなくなるようにした安全袋用品を提供することができる。